(57)【要約】【課題】この発明の目的は、機器脚部の高さ調整に際し、作業上の安全性や作業の効率化を図った設置台を提供することである。【解決手段】適宜防振材を装着されて使用されるフレーム部材と、フレーム部材上に搭載される回転台と、回転台に取り付けられる取付ボルトとを備えており、取付ボルトは、機器脚部の取付孔に挿通されるものであり、回転台は、上部に上記取付ボルトをねじ込む雌ねじ部を形成するとともに後述するフレーム部材上に搭載されるナット部を、また下部にフレーム部材内にはめ込まれて自在に回転する回転ガイド部を、さらにナット部の下部外周にレンチ受け用テーブル部をそれぞれ形成されており、フレーム部材は筒状で、その筒状部分に上記回転台の回転ガイド部を収納して回転台を回転自在に保持するともに、フレーム部材の上面とナット部との間に締付ナット取り付けて回転台の回転を所定の位置で固定することができるようにした設置台。【選択図】  図４
2005224912.tif 000002
【特許請求の範囲】
【請求項１】
適宜防振材を装着されて使用されるフレーム部材と、フレーム部材上に搭載される回転台と、回転台に取り付けられる取付ボルトとを備えており、
取付ボルトは、機器脚部の取付孔に挿通されるものであり、
回転台は、上部に上記取付ボルトをねじ込む雌ねじ部を形成するとともに後述するフレーム部材上に搭載されるナット部を、また下部にフレーム部材内にはめ込まれて自在に回転する回転ガイド部を、さらにナット部の下部外周にレンチ受け用テーブル部をそれぞれ形成されており、
フレーム部材は筒状で、その筒状部分に上記回転台の回転ガイド部を収納して回転台を回転自在に保持するともに、
フレーム部材の上面とナット部との間に締付ナット取り付けて回転台の回転を所定の位置で固定することができるようにしたことを特徴とする設置台。
【請求項２】
回転台が、その上面にユニバーサルワッシャを搭載する凹部を備え、機器脚部をユニバーサルワッシャを介して回転台に搭載するようにしたことを特徴とする請求項１に記載の設置台。
【請求項３】
取付ボルトが、機器脚部の取付孔に挿通した後、締付ナットによって機器脚部を固定するようにしたことを特徴とする請求項１または２に記載の設置台。
【発明の詳細な説明】
【技術分野】
【０００１】
この発明は、例えば種々の精密機械や射出成形機のように水平度を必要とするような機器や、プレス機或いはコンプレッサーなど振動を伴うような機器、半導体製造装置等の脚部に取り付けて高さを調整するために使用される設置台に関する。
【背景技術】
【０００２】
従来、機器の高さを調整し、機器の水平度を安定化させて床面に設置するとともに、機器自体の振動或いは外部からの振動を緩衝する防振材を備えた設置台は、例えば、実公昭４７−１１３５８号公報（特許文献１）、特開平１０−１８４７９０号公報（特許文献２）等に示されている。
【０００３】
そして上記従来例は、上部に筒状の雌ネジ部を設けた盤状のフレーム部材と、上記雌ネジ部にはめ込んだ、ハンドル部を有する筒状のジャッキ部材と、上記ジャッキ部材に取り付けた機器等の脚を取り付ける取付ボルトとで構成されている。
【０００４】
この設置台を取扱う際には、機器脚部の高さを調整する場合は、先ず取付ボルトを緩め、ハンドル部を回転させることによってジャッキ部材をフレーム部材に対して回転させる。このハンドル部の回転によってフレーム部材に対してジャッキ部材の螺合位置が上下し、機器脚部の高さを調整する。調整後、設置台は取付ボルトを締め付けて機器脚部に固定し、床面に設置される。このようにして設置台は、機器脚部に容易に取り付けられ、機器類を床面に対して水平に安定して設置することができる。
【特許文献１】実公昭４７−１１３５８号公報
【特許文献２】特開平１０−１８４７９０号公報
【発明の開示】
【発明が解決しようとする課題】
【０００５】
しかしながら、ジャッキ部材に突設したハンドル部が設置台の外部に突出しているために機器類を設置しようとする場合において、設置スペースの隅角部等に引っ掛かったり、ハンドル部が回せなかったりするという問題点があった。
【０００６】
また、ジャッキ部材に突設したハンドル部は一般に鋳物で形成されており、そのジャッキ部材のハンドル部に、ハンドル部の延伸基部から半径方向に突状に延伸した延伸端部に架けて曲げモーメントが作用するばかりか衝撃が加わるとなると、ハンドル部の延伸基部から折れることがあった。
【０００７】
この発明の目的は、機器脚部の高さ調整に際し、作業上の安全性や作業の効率化を図った設置台を提供することである。
【課題を解決するための手段】
【０００８】
この発明の設置台は前記目的を達成するためになされたもので、適宜防振材を装着されて使用されるフレーム部材と、フレーム部材上に搭載される回転台と、回転台に取り付けられる取付ボルトとを備えており、
取付ボルトは、機器脚部の取付孔に挿通されるものであり、
回転台は、上部に上記取付ボルトをねじ込む雌ねじ部を形成するとともに後述するフレーム部材上に搭載されるナット部を、また下部にフレーム部材内にはめ込まれて自在に回転する回転ガイド部を、さらにナット部の下部外周にレンチ受け用テーブル部をそれぞれ形成されており、
フレーム部材は筒状で、その筒状部分に上記回転台の回転ガイド部を収納して回転台を回転自在に保持するともに、
フレーム部材の上面とナット部との間に締付ナット取り付けて回転台の回転を所定の位置で固定することができるようにしたことを特徴とするものである。
【０００９】
この発明の設置台はまた、上記回転台が、その上面にユニバーサルワッシャを搭載する凹部を備え、機器脚部をユニバーサルワッシャを介して回転台に搭載するようにしたことをも特徴とするものである。
【００１０】
この発明の設置台は、上記取付ボルトが、機器脚部の取付孔に挿通した後、締付ナットによって機器脚部を固定するようにしたことをも特徴とするものである。
【発明の効果】
【００１１】
この発明の設置台によれば、設置台を機器類の脚部と床面の間に差し入れて置かれる。次いで、取付ボルトを機器類の脚部の取付孔に挿通し、取付孔の雌ネジに取付ボルトを、これと一体化した回転台のナット部を回してねじ込む。回転台はフレーム部材のテーブル部上を昇降しないでただ回転するだけであり、取付ボルトの回転に応じて機器類の脚部は上方もしくは下方に移動する。このように機器類の脚部の高さ調整にあっては、取付ボルトを機器類の脚部の雌ねじ孔に一方向にねじ込んでゆくことで、簡単に昇降させることができる。
【発明を実施するための最良の形態】
【００１２】
以下、この発明の設置台の好ましい実施の形態について、添付図面を参照して詳細に説明する。
図１は、この発明の設置台の１実施例を示す正面図、図２はその平面図、図３は各パーツの組み付け段階を説明するための分解斜視図、図４は組み付けを完了した状態を示す断面図である。
【００１３】
この発明の設置台１０は、図１ないし図４に示すように、機器類の脚部の取付孔に挿通される取付ボルト１１と、上部にはナット部１３を、下部には回転ガイド部１４を、ナット部１３の下部外周にレンチ受け用テーブル部１５をそれぞれ形成した回転台１２を備えている。この回転台１２の中心を通る軸芯には雌ねじ部を形成し、上記取付ボルト１１をねじ込んで後述の適宜手段で固定される。
【００１４】
また上記回転台１２は、筒状のフレーム部材１６内に回転ガイド部１４を収納するとともに、フレーム部材１６上にナット部１３を搭載して回転自在に保持される。そして、フレーム部材１６と回転台１２のナット部１３との間に設けた締付ナット１７により、上記回転台１２を固定するようになっている。
【００１５】
さらに上記回転台１２は、その上面にユニバーサルワッシャ１８を搭載する凹部を備え、機器類の脚部をユニバーサルワッシャ１８を介して回転台１２上に搭載するようになっている。したがって、機器類の脚部とフレーム部材１６の上面との接触面が精確に一致しなくとも、機器類の脚部からフレーム部材１６の上面に掛かる負荷をユニバーサルワッシャ１８部分で均一なものとすることができる。１９はワッシャ、２０はナットである。
また、２１はフレーム部材１６の下部に装着した防振材である。
【００１６】
以上のように前記設置台１０は、回転台１２の上部ナット部１３から取付ボルト１１がねじ込まれた上で固定されており、下部の回転ガイド部１４は筒状のフレーム部材１６内に回転自在に保持されている。したがって、回転台１２のナット部１３を回すことにより、回転台１２に固定した取付ボルト１１を回転させることができる。
その際、ナット部１３の下部にはレンチ受け用テーブル部１５が形成されているので、レンチを簡単にナット部１３へ係合させることができ、ナット部１３とともに取付ボルト１１を難なく回転させて、簡単に機器類の高さ調節をすることができる。
【００１７】
この発明の設置台１０は、特に上部にはナット部１３、下部には回転ガイド部１４、ナット部１３の下部外周にレンチ受け用テーブル部１５をそれぞれ形成した回転台１２が、ステンレス素材その他の同一素材で一体的に形成されていることをも特徴としている。
【００１８】
上記筒状のフレーム部材１６の下部に装着した、例えばＮＢＲ等から形成された防振材２１は、上面に皿状の凹部２２が形成されており、この凹部２２内にフレーム部材１６の下端をはめ込むようになっている。
【００１９】
上記取付ボルト１１は、一般的に右ねじが刻設されており、例えば機器類に横向きに設けた脚部の取付孔に挿入し、上記ねじ部にナット２０とワッシャ１９をはめ込み、ワッシャ１９を介してナット２０を締め付けることによって機器類の脚部の上面にナット２０を取着して固定される。
【００２０】
また、上記取付ボルト１１は、機器類に縦方向に設けた脚部の取付孔の雌ネジ部に直接ねじ込まれる。この場合には、上記ナットおよびワッシャは不要である。
【００２１】
上記設置台１０は、上述のように回転台１２の上部ナット部１３を回すことにより、回転台１２を回転ガイド部１４を介して自由に回転させることができるので、回転台１２に固定した取付ボルト１１も自由に回転させることができる。したがって、取付ボルト１１を機器類に設けた脚部の取付孔の雌ネジ部にはめ込み、レンチ等でナット部１３を回して取付ボルト１１を回転させることにより、機器類の高さを迅速に調整することができる。すなわち、種々の機器類の４隅、あるいはその他の適所に設けた脚部にこの発明の設置台１０を取り付け、レベル等を見ながら適宜その高さを調整することにより、機器類の高さを調整すればよい。高さ位置の固定は、締付ナット１７を締め付けることにより簡単に行なうことができる。
【００２２】
この発明の設置台の操作において、取付ボルト１１を機器類に設けた脚部の取付孔の雌ネジ部にはめ込み、レンチ等でナット部１３を回して取付ボルト１１を回転させる際、ナット部１３の下部外周に設けたレンチ受け用テーブル部１５によりレンチがナット部１３から外れにくくなり、簡便かつ迅速に取付ボルト１１を回転させることができる。
【００２３】
なお、この発明の設置台１０は上記実施例に述べた構造に限らず、この発明の要旨を変更しない限り、適宜その設計を変更して用いることが可能である。
【産業上の利用可能性】
【００２４】
この発明の設置台によれば、例えば種々の精密機械や射出成形機のように水平度を必要とするような機器や、プレス機或いはコンプレッサーなど振動を伴うような機器、半導体製造装置等の脚部に取り付けて高さを調整するために使用される設置台を提供することができる。もちろん、この発明を逸脱しない範囲で類似の用途に応用できることはもちろんである。
【図面の簡単な説明】
【００２５】
【図１】この発明の設置台の１実施例を示す正面図である。
【図２】その平面図である。
【図３】各パーツの組み付け段階を説明するための分解斜視図である。
【図４】組み付けを完了した状態を示す断面図である。
【符号の説明】
【００２６】
１０ 設置台
１１ 取付ボルト
１２ 回転台
１３ ナット部
１４ 回転ガイド部
１５ レンチ受け用テーブル部
１６ フレーム部材
１７ 締付ナット
１８ ユニバーサルワッシャ
１９ ワッシャ
２０ ナット
２１ 防振材
２２ 皿状の凹部
【図１】
2005224912.tif 000003
【図２】
2005224912.tif 000004
【図３】
2005224912.tif 000005
【図４】
2005224912.tif 000006
【手続補正書】
【提出日】平成16年2月18日(2004.2.18)
【手続補正１】
【補正対象書類名】図面
【補正対象項目名】全図
【補正方法】変更
【補正の内容】
【図１】
2005224912.tif 000007
【図２】
2005224912.tif 000008
【図３】
2005224912.tif 000009
【図４】
2005224912.tif 000010